(57)【要約】【課題】利用者の駐車料金予算額になるまで、駐車情報を所定の金額又は時間間隔単位で所定の回数通知する駐車情報通知システム、方法及びプログラムを提供する。【解決手段】駐車情報通知システムにおいて、利用者端末から受信した駐車料金予算額と通知条件とを含む駐車料金通知依頼を元に、駐車時間、時刻と駐車場料金とを関連付けて記憶した駐車管理テーブルを参照して駐車料金予算額直前の料金となる時刻、及び該時刻前の利用者の指定した通知条件に合致する時刻を求め、通知情報レコードを所定数作成して通知情報テーブルに登録し、この通知情報テーブルを参照して利用者に駐車情報を通知する。【選択図】図１
2004086623.tif 000002
【特許請求の範囲】
【請求項１】
コンピュータが、
適用対象時間帯と適用料金とを含む適用料金レコードを記憶した適用料金テーブルと、利用者の通知先アドレスと通知上限額と適用開始日時とを含む依頼情報レコードを記憶した依頼情報テーブルとに基づき、該依頼情報テーブルに記憶された依頼情報レコードに含まれた通知上限額以下で最大の金額になる日時及び該日時より所定金額少ない金額になる日時を求め、該依頼情報レコードに含まれた通知先アドレスと該日時とを含む通知情報レコードを作成して通知情報テーブルに記憶する金額間隔通知処理ステップと、
前記通知情報テーブルを参照し、現在日時以前の日時の前記通知情報レコードに含まれた通知先アドレスを宛て先とする通知情報を作成し、該通知情報テーブルの該通知情報レコードを処理対象外とする通知作成ステップと、
を実行することを特徴とする駐車情報通知方法。
【請求項２】
前記適用料金テーブルと、前記依頼情報レコードを記憶した依頼情報テーブルとに基づき、該依頼情報テーブルに記憶された依頼情報レコードに含まれた通知上限額以下で最大の金額になる日時及び該日時より所定時間少ない日時になる日時を求め、該依頼情報レコードに含まれた通知先アドレスと該日時とを含む通知情報レコードを作成して前記通知情報テーブルに記憶する時間間隔通知処理ステップと、
前記依頼情報テーブルに記憶された依頼情報レコードに通知金額間隔が更に含まれていた場合には前記所定金額として該通知金額間隔を設定して前記金額間隔通知処理ステップを、前記依頼情報テーブルに記憶された依頼情報レコードに通知時間間隔が更に含まれていた場合には前記所定時間として該通知時間間隔を設定して前記時間間隔通知処理ステップを、選択的に実行する通知処理選択ステップと、
を更に備えたことを特徴とする請求項１記載の駐車情報通知方法。
【請求項３】
前記通知処理選択ステップは、前記依頼情報テーブルに記憶された依頼情報レコードに、通知金額間隔、通知時間間隔のいずれも含まれていなかった場合には前記所定金額として前記適用料金テーブルに記憶された前記適用料金レコードに含まれた適用料金を設定して前記金額間隔通知処理ステップを実行する
ことを特徴とする請求項２記載の駐車情報通知方法。
【請求項４】
適用対象時間帯と適用料金とを含む適用料金レコードを記憶する適用料金テーブルと、
利用者の通知先アドレスと通知上限額と適用開始日時とを含む依頼情報レコードを記憶する依頼情報テーブルと、
日時と前記通知先アドレスとを含む通知情報レコードを記憶する通知情報テーブルと、
前記適用料金テーブルと前期依頼情報テーブルに基づき、該依頼情報テーブルに記憶された依頼情報レコードに含まれた通知上限額以下で最大の金額になる日時及び該日時より所定金額少ない金額になる日時を求め、該依頼情報レコードに含まれた通知先アドレスと該日時とを含む通知情報レコードを作成して前記通知情報テーブルに記憶する金額間隔通知処理手段と、
前記適用料金テーブルと前期依頼情報テーブルに基づき、該依頼情報テーブルに記憶された依頼情報レコードに含まれた通知上限額以下で最大の金額になる日時及び該日時より所定時間少ない日時になる日時を求め、該依頼情報レコードに含まれた通知先アドレスと該日時とを含む通知情報レコードを作成して前記通知情報テーブルに記憶する時間間隔通知処理手段と、
前記依頼情報テーブルに記憶された依頼情報レコードに通知金額間隔が更に含まれていた場合には前記所定金額として該通知金額間隔を設定して金額間隔通知処理手段を、前記依頼情報テーブルに記憶された依頼情報レコードに通知時間間隔が更に含まれていた場合には前記所定時間として該通知時間間隔を設定して前記時間間隔通知処理手段を、いずれも含まれていなかった場合には前記所定金額として前記適用料金テーブルに記憶された前記適用料金レコードに含まれた適用料金を設定して前記金額間隔通知処理手段を、選択的に実行する通知処理選択手段と、
前記通知情報テーブルを参照し、現在日時以前の日時の前記通知情報レコードに含まれた通知先アドレスに宛てた通知文書を作成して該通知情報テーブルの該通知情報レコードを処理対象外とする通知作成手段と、
を備えたことを特徴とする駐車情報通知システム。
【請求項５】
コンピュータに、
適用対象時間帯と適用料金とを含む適用料金レコードを記憶した適用料金テーブルと、利用者の通知先アドレスと通知上限額と適用開始日時とを含む依頼情報レコードを記憶した依頼情報テーブルとに基づき、該依頼情報テーブルに記憶された依頼情報レコードに含まれた通知上限額以下で最大の金額になる日時及び該日時より所定金額少ない金額になる日時を求め、該依頼情報レコードに含まれた通知先アドレスと該日時とを含む通知情報レコードを作成して通知情報テーブルに記憶する金額間隔通知処理ステップと、
前記適用料金テーブルと、前記依頼情報テーブルとに基づき、該依頼情報テーブルに記憶された依頼情報レコードに含まれた通知上限額以下で最大の金額になる日時及び該日時より所定時間少ない日時になる日時を求め、該依頼情報レコードに含まれた通知先アドレスと該日時とを含む通知情報レコードを作成して通知情報テーブルに記憶する時間間隔通知処理ステップと、
前記依頼情報テーブルに記憶された依頼情報レコードに通知金額間隔が更に含まれていた場合には前記所定金額として該通知金額間隔を設定して前記金額間隔通知処理ステップを、前記依頼情報テーブルに記憶された依頼情報レコードに通知時間間隔が更に含まれていた場合には前記所定時間として該通知時間間隔を設定して該時間間隔通知処理ステップを、いずれも含まれていなかった場合には前記適用料金テーブルと、
選択的に実行する通知処理選択ステップと、
前記通知情報テーブルを参照し、現在日時以前の日時の前記通知情報レコードに含まれた通知先アドレスを宛て先とする通知情報を作成して該通知情報テーブルの該通知情報レコードを処理対象外とする通知作成ステップと、
を動作させることを特徴とする駐車情報通知プログラム。
【発明の詳細な説明】
【０００１】
【発明の属する技術分野】本発明は、駐車情報を通知する駐車情報通知システム、方法及びプログラムに関する。
【０００２】
【従来の技術】従来、駐車場の料金に関連する情報を通知するシステムとしては、特開平１０−１０３９７６の駐車料金情報システムが存在した。
【０００３】
このシステムは、概略の駐車料金を予測して利用者に知らせるものであり、より詳細には、車両が駐車している駐車場を特定し、該駐車場に関する各種情報を取得し、該情報の中から該駐車場に対応する所定時間当りの駐車料金情報を探索し、該駐車料金情報と、該車両の駐車開始時刻と車両の駐車終了時刻に基づき算出される該車両の駐車時間から車両の駐車料金を算出して出力するものであった。また、この出力のタイミングについては、利用者により転送時刻の設定があった場合には、設定された転送時刻に駐車料金を算出して出力することも可能であった。
【０００４】
【発明が解決しようとする課題】駐車時間や時刻を複数の単位に分け、それぞれに異なる料金を設定しているような駐車場では、追加料金は単純に時間に比例するものではない。しかし、上記従来のシステムでは、利用者の指定した時間間隔で駐車料金を出力することしかできなかったため、利用者は自分が駐車料金として許容できる駐車料金予算額になるまでの残り時間を自分で計算する他なく、上記の通り駐車時間や時刻で異なる料金が設定されているため、複雑且つ困難であった。
【０００５】
本発明はこのような問題点に鑑みてなされたものであり、利用者の駐車料金予算額になるまで、駐車情報を所定の金額又は時間間隔単位で所定の回数通知する駐車情報通知システム、方法及びプログラムを提供することにある。
【０００６】
【課題を解決するための手段】本発明は、上記従来の問題点を解決するため、駐車情報通知システムにおいて、利用者端末から受信した駐車料金予算額と通知条件とを含む駐車料金通知依頼を元に、駐車時間、時刻と駐車場料金とを関連付けて記憶した駐車管理テーブルを参照して駐車料金予算額直前の料金となる時点、及び該時刻前の利用者の指定した通知条件に合致する時点を求め、通知情報レコードを作成して通知情報テーブルに登録し、この通知情報テーブルに基づき駐車情報を通知する手段により、利用者が駐車料金予算額になるまでの残り時間を容易に把握できるようになる。
【０００７】
【発明の実施の形態】以下、この発明の本発明の実施の形態について図面を参照しながら説明する。
【０００８】
図１は本発明の駐車情報通知システムの構成概要図である。
【０００９】
図１の駐車情報通知システムは、駐車情報通知サーバ１００、利用者通信端末２００、通信網３００、及び基地局４００で構成される。
【００１０】
駐車情報通知サーバ１００と、利用者通信端末２００とは有線または基地局４００を経由した無線で通信網３００に接続することにより相互にデータの送受信を行う。
【００１１】
駐車情報通知サーバ１００は、利用者通信端末２００からの依頼を処理し、通知する駐車情報を管理する駐車情報管理元のサーバコンピュータであって、駐車に適用する適用料金レコード１０１ａを記憶する適用料金テーブル１０１、駐車情報通知システム利用者の通知依頼情報レコード１０２ａを記憶する依頼情報テーブル１０２、駐車料金の計算ワークレコード１０３ａを記憶する計算ワークテーブル１０３、駐車情報を通知するための通知情報レコード１０４ａを記憶する通知情報テーブル１０４、通信網を介して利用者通信端末からの依頼情報を受信する依頼受信部１０５、依頼受信部で受信した依頼情報に応じて、新規依頼の場合には、依頼情報レコード１０２ａを作成して依頼情報テーブル１０２に登録して、変更依頼の場合には、依頼情報レコード１０２ａを変更して依頼情報テーブル１０２を更新すると共に通知情報テーブル１０４から古い通知情報レコード１０４ａを削除する依頼処理部１０６、依頼情報レコード１０２ａと適用料金テーブル１０１を参照して通知情報レコード１０４ａを作成して通知情報テーブル１０３を更新する通知処理部１０７、単位時間毎に通知情報テーブル１０３を参照して利用者通知情報を作成して通信網３００を介して通知先アドレスへ送信し、又は依頼情報テーブル１０２から依頼情報レコード１０２ａを削除する通知送信部１０８、利用者通信端末２００とデータをやりとりする際の画面フォームを格納したフォーム記憶部１０９の各部を備える。
【００１２】
利用者通信端末２００は、利用者が駐車情報通知依頼を行い、または駐車情報通知を受ける携帯電話やＰＤＡ等の通信端末であって、文字・図形等の情報を表示することができ、通信網３００を介して駐車情報通知サーバ１００と情報のやり取りを行い、また、ｅ−ｍａｉｌの送受信を行うことができる通信機能を備える。
【００１３】
図２（ａ）に適用料金テーブル１０１、図２（ｂ）に依頼情報テーブル１０２、図３（ｃ）に計算ワークテーブル１０３、図３（ｄ）に通知情報テーブル１０４をそれぞれ示す。
【００１４】
図２（ａ）に示す適用料金テーブル１０１は、料金を適用する時間帯１０１１、その時間帯での初回料金１０１２、初回料金を適用する初回時間１０１３、延長間隔１０１４及び延長料金１０１５の各項目を含む適用料金レコード１０１ａからなる。
【００１５】
図２（ｂ）に示す依頼情報テーブル１０２は、利用者の通知先を一意に識別するための通知先アドレス１０２１、利用者の設定した通知上限額１０２２、通知回数１０２３、通知時間間隔１０２４、通知料金間隔１０２５、通知内容１０２６、利用開始日時１０２７、割引金額１０２８、及び割引時間１０２９の各項目を含む依頼情報レコード１０２ａからなる。
【００１６】
図３（ｃ）に示す計算ワークテーブル１０３は、レコード番号１０３１、日時１０３２、料金１０３３、及び時間１０３４の各項目を含む計算ワークレコード１０３ａからなる。
【００１７】
図３（ｄ）に示す通知情報テーブル１０４は、通知日時１０４１、通知先アドレス１０４２、通知番号１０４３、通知料金１０４４、利用時間１０４５の各項目を含む通知情報レコード１０４ａからなる。
【００１８】
図４にフォーム記憶部１０９に記憶した依頼情報入力フォーム２０１を示す。依頼情報入力フォーム２０１は、通知を受ける利用者のアドレスを設定する通知先アドレス２０１１、駐車場料金の予算を金額で設定する駐車予算金額２０１２、通知回数を設定する通知回数２０１３、通知内容を選択する通知内容２０１４、通知間隔を設定する通知間隔２０１５、駐車場利用開始日時を指定する開始日時指定２０１６、割引券情報を設定する割引券２０１７の各入力設定欄、新規依頼ボタン２０１８、及び変更依頼ボタン２０１９の各項目からなる。
【００１９】
図５にフォーム記憶部１０９に記憶した通知メールフォーム２０２を示す。通知メール２０２は、宛て先２０２１、時刻２０２２、通知回数２０２３、通知総回数２０２４、利用料金２０２５−２、利用開始日時２０２６−２、利用時間２０２７−２の各個別設定通知項目と、下線部で示す選択定型文ａ２０２５−１、選択定型文ｂ２０２６−１、選択定型文ｃ２０２７−１、及びそれ以外の定型文２０２８からなる。
【００２０】
次に図６の通知依頼受信処理フローを用いて、本発明の実施の形態に係る駐車情報通知サーバ１００における通知依頼受信及び処理の流れについて説明する。
【００２１】
本発明の駐車情報通知サーバ１００による駐車情報の通知を依頼する利用者は、利用者通信端末２００から、駐車情報通知サーバ１００に接続を要求する（Ｓ１１０）。駐車情報通知サーバ１００は、依頼受信部１０５で利用者通信端末２００からの接続要求を受信する（Ｓ１２０）と、フォーム記憶部１０９に記憶した依頼情報入力フォーム２０１を送信する（Ｓ１３０）。利用者通信端末は駐車情報通知サーバ１００から依頼情報入力フォーム２０１を受信して、ディスプレイに表示する（Ｓ１４０）。
【００２２】
図４に示す依頼情報入力フォーム２０１において、通知先アドレス２０１１は必須設定項目、駐車予算金額２０１２は新規依頼時の必須設定項目であり、この２項目以外は、新規・変更時共に任意設定項目である。通知回数２０１３には「３」がデフォルトとして表示されており、数値を入力することによって通知回数の変更が可能である。通知内容２０１４欄には、駐車場私用料金２０１４−１・駐車場利用開始時間２０１４−２・駐車場利用時間２０１４−３の３つのチェックボックスが設けられており、デフォルトでは全てのチェックボックスがオンになっている。不要な通知内容は該当するチェックボックスをオフにすることよって通知内容から除くことができるが、全てのチェックボックスをオフにすることはできない。通知間隔２０１５には、料金間隔で指定する料金２０１５−１、時間間隔で指定する時間２０１５−２の２つの欄が設けられえており、いずれかを選択的に入力することによって通知間隔を指定する。なお、入力しない場合はデフォルトとして料金変動時に通知が行われる。開始日時指定２０１６は、通知依頼を忘れた場合や予約をする場合に用いる項目で、任意の開始日時の指定が可能となっている。なお、指定しなかった場合には駐車情報通知サーバが受信した現在日時が設定される。割引券２０１７には、割引金額を入力する料金２０１７−１、割引時間を入力する割引時間２０１７−２の各欄が設けられており、所有する割引券に応じて割引情報を設定することが可能である。なお、デフォルトは割引券の適用はないことになっている。
【００２３】
利用者が、利用者通信端末２００に表示されたこれら各入力設定欄に入力設定した後、新規に駐車情報の通知を依頼する時には新規依頼ボタン２０１８を、既に依頼した依頼内容の変更を依頼する時には変更依頼ボタン２０１９をそれぞれ押すことにより、利用者通信端末２００により新規依頼と変更依頼との依頼種別情報と共に入力設定した依頼情報が駐車情報通知サーバ１００に送信される（Ｓ１５０）。
【００２４】
駐車情報通知サーバ１００が、この依頼情報を依頼受信部で受信する（Ｓ１６０）と、依頼処理部１０６が、新規依頼なのか、変更依頼なのかを判定し（Ｓ１７０）、新規依頼時には、開始日時指定２０１４の設定があるか否かを判定（Ｓ１８０）し、設定がない場合には、受信した現在日時を開始日時指定２０１４に設定（Ｓ１９０）し、依頼情報の通知先アドレス２０１１を通知先アドレス１０２１、駐車予算金額２０１２を通知上限額１０２２、通知回数２０１３を通知回数１０２３、通知間隔２０１５の時間２０１５−１を通知時間間隔１０２４、料金２０１５−２を通知料金間隔１０２５、通知内容のチェックボックスにチェックのある駐車場利用料金２０１４−１は「４」、駐車場利用開始時間２０１４−２は「２」、駐車場利用時間２０１４−３は「１」として積算した値を通知内容１０２６、開始日時指定２０１４を利用開始日時１０２７、割引券２０１７の料金２０１７−１を割引金額１０２８、割引券２０１７の時間２０１７−２を割引時間１０２９にそれぞれ設定した依頼情報レコード１０２ａを作成して依頼情報テーブル１０２に格納して更新する（Ｓ２００）。
【００２５】
変更依頼時には、依頼情報の通知先アドレス２０１１を検索キーとして依頼情報テーブル１０２を検索し（Ｓ２１０）、該当する依頼情報レコード１０２ａの、駐車予算金額２０１２を通知上限額１０２２、通知回数２０１３を通知回数１０２３、通知間隔２０１５の時間２０１５−１を通知時間間隔１０２４、料金２０１５−２を通知料金間隔１０２５、通知内容のチェックボックスにチェックのある駐車場利用料金２０１４−１は「１」、駐車場利用開始時間２０１４−２は「２」、駐車場利用時間２０１４−３は「４」として積算した値を通知内容１０２６、開始日時指定２０１４がある場合には利用開始日時１０２７、割引券２０１７の料金２０１７−１を割引金額１０２８、割引券２０１７の時間２０１７−２を割引時間１０２９にそれぞれ上書きして依頼情報テーブル１０２を更新する（Ｓ２２０）。なお、本願発明の本旨ではないため詳述しないが、フォーム上の各入力指定項目にラジオボタンを設けるなどして変更項目自体の選択設定を行うことにより、変更した項目のみを上書き・更新するようにすることも可能である。
【００２６】
変更依頼時には、次に、依頼情報の通知先アドレス２０１１を検索キーとして通知情報テーブル１０４を検索して（Ｓ２３０）、通知情報テーブル１０４から該当する依頼情報レコード１０４ａを削除（Ｓ２４０）する。以上が駐車情報通知サーバ１００における通知依頼受信及び処理の流れの説明である。
【００２７】
次に、図７から図９の通知情報処理フローを用いて、本発明の実施の形態に係る駐車情報通知サーバ１００における通知情報処理の流れについて説明する。
【００２８】
駐車情報通知サーバ１００は、依頼処理部１０５で依頼情報レコード１０２ａを作成または上書きして依頼情報テーブル１０２を更新すると、次に通知処理部１０７を起動する。通知処理部１０７は、計算ワークテーブル１０３を初期化し（Ｓ３１０）、レコード番号１０３１、料金１０３３、及び時間１０３４に「０」を設定し（Ｓ３２０）、日時１０３２に依頼情報レコードの利用開始日時１０２７を設定する（Ｓ３３０）。作成又は更新された依頼情報レコード１０２ａの割引時間１０２９が指定されているか否かを判定し（Ｓ３４０）、割引時間１０２９が指定されている場合のみ日時１０３２を日時１０３２に割引時間１０２９を加算した日時に設定し直す（Ｓ３５０）、時間１０３４を時間１０３４に割引時間１０２９を加算した時間に設定し直す（Ｓ３６０）。また、作成又は更新された依頼情報レコード１０２ａの割引金額１０２８が指定されているか否かを判定し（Ｓ３７０）、割引金額１０２８が指定されている場合のみ料金１０３３を料金１０３３から割引金額１０２８を減算した値に設定し直す（Ｓ３８０）。
【００２９】
次に、日時１０３２が適用料金テーブル１０１の１つ目の適用料金レコード１０１ａの時間帯１０１１に該当するか否かを判定する（Ｓ３９０）。Ｓ３９０の判定により、日時１０３２が適用料金テーブル１０１の１つ目の適用料金レコード１０１ａの時間帯１０１１、つまり８時から２２時の間に該当する場合には、レコード番号が「０」であるか否かを判定し（Ｓ４００）、「０」であれば料金１０３３にこの１つ目の適用料金レコード１０１ａの初回料金１０１２、つまり５００円を加算し（Ｓ４１０）、且つ時間１０３３にこの１つ目の適用料金レコード１０１ａの初回時間１０１３、つまり１時間を加算する（Ｓ４２０）。レコード番号が「０」でなければ料金１０３３にこの１つ目の適用料金レコード１０１ａの該当時間帯１０１１の延長料金１０１５、つまり２５０円を加算し（Ｓ４３０）、且つ時間１０３３にこの１つ目の適用料金レコード１０１ａの延長間隔１０１４、つまり２０分を加算する（Ｓ４４０）。
【００３０】
Ｓ３９０の判定により、日時１０３２が適用料金テーブル１０１の１つ目の適用料金レコード１０１ａの時間帯１０１１、つまり８時から２２時の間に該当しない場合には、レコード番号が「０」であるか否かを判定し（Ｓ４５０）、「０」であれば料金１０３３に適用料金テーブル１０１の２つ目の適用料金レコード１０１ａの初回料金１０１２、つまり４００円を加算し（Ｓ４６０）、且つ時間１０３３にこの２つ目の適用料金レコード１０１ａの初回時間１０１３、つまり１時間を加算する（Ｓ４７０）。レコード番号が「０」でなければ料金１０３３にこの２つ目の適用料金レコード１０１ａの延長料金１０１５、つまり２５０円を加算し（Ｓ４８０）、且つ時間１０３３にこの２つ目の適用料金レコード１０１ａの延長間隔１０１４、つまり２０分を加算する（Ｓ４９０）。
【００３１】
Ｓ４２０、Ｓ４４０、Ｓ４７０、及びＳ４９０を受けて、次に料金１０３３が依頼情報レコード１０２ａの通知上限額１０２２以下であるか否かを判定する（Ｓ５００）。Ｓ５００の判定により、料金１０３３が依頼情報レコード１０２ａの通知上限額１０２２以下の場合には、レコード番号を１インクリメントし（Ｓ５１０）、これらのステップに到るまでに設定・計算されたレコード番号１０３１、日時１０３２、時間１０３３、及び料金１０３４からなる計算ワークレコード１０３ａを計算ワークテーブル１０３に格納し（Ｓ５２０）、日時１０３２に、日時１０３２に時間１０３３を加算した日時を設定し（Ｓ５３０）、Ｓ３９０に戻る。
【００３２】
Ｓ５００の判定により、料金１０３３が依頼情報レコード１０２ａの通知上限額１０２２より大きい場合には、通知情報レコード１０４ａの通知先アドレス１０４２に依頼情報レコード１０２ａの通知先アドレス１０２１を設定し（Ｓ６１０）、通知回数分子Ｗ１（図示せず）と通知回数分母Ｗ２（図示せず）に依頼情報レコード１０２ａの通知回数１０２３を設定する（Ｓ６２０）。また、計算ワークテーブル１０３から最後のレコード番号１０３１の計算ワークレコード１０３ａを選択して（Ｓ６３０）、基準日時Ｗ３（図示せず）にＳ６４０で選択した計算ワークレコード１０３ａの日時１０３２を設定し（Ｓ６４０）、基準料金Ｗ４（図示せず）にＳ６４０で選択した計算ワークレコード１０３ａの料金１０３３を設定する（Ｓ６５０）。
【００３３】
次に、通知情報レコード１０４ａの通知日時１０４１に選択した計算ワークレコード１０３ａの日時１０３１を設定し（Ｓ６６０）、通知情報レコード１０４ａの通知番号１０４３に通知回数分子Ｗ１／通知回数分母Ｗ２を設定し（Ｓ６７０）、通知情報レコード１０４ａの通知料金１０４４に計算ワークレコード１０３ａの料金１０３３を設定し（Ｓ６８０）、通知情報レコード１０４ａの利用時間１０４５に計算ワークレコード１０３ａの時間１０３４を設定し（Ｓ６９０）、通知情報テーブル１０４に通知情報レコード１０３ａを登録、更新する（Ｓ７００）。また、通知回数分子Ｗ１に通知回数分子Ｗ１から１減算した値を設定し（Ｓ７１０）、通知回数分子Ｗ１が「０」か否かを判定し（Ｓ７２０）、「０」であれば通知日時１０４１をソートキーとして通知情報テーブル１０４の通知情報レコード１０４ａを昇順に並べ替え（Ｓ７３０）、処理を終了する。
【００３４】
Ｓ７１０で通知回数分子Ｗ１が「０」でなければ、依頼情報レコード１０２ａの通知時間間隔１０２４の指定があるか否かを判定し（Ｓ７４０）、指定があるときのみ基準日時Ｗ３に基準日時Ｗ３から通知時間間隔１０２４を減算した値を設定し（Ｓ７５０）、計算ワークレコード１０３ａの日時１０３２が基準日時Ｗ３より遅い時間か否かを更に判定する（Ｓ７６０）。
【００３５】
Ｓ７６０で計算ワークレコード１０３ａの日時１０３２が基準日時Ｗ３より遅い時間の場合には、レコード番号１０３１にレコード番号から１減算した値を設定し（Ｓ７７０）、計算ワークテーブル１０３からＳ７７０で設定したレコード番号に該当する計算ワークレコード１０３ａを選択して（Ｓ７８０）、Ｓ７６０に戻る。Ｓ７６０で計算ワークレコード１０３ａの日時１０３２が基準日時Ｗ３以内の日時の場合には、計算ワークレコード１０３ａの日時１０３２に基準日時Ｗ３を設定して（Ｓ７９０）、Ｓ６６０に戻る。
【００３６】
Ｓ７３０で、依頼情報レコード１０２ａの通知時間間隔１０２４の指定が無い場合には、依頼情報レコード１０２ａの通知料金間隔１０２５の指定があるか否かを判定し（Ｓ８００）、指定があるときのみ基準料金Ｗ４に基準料金Ｗ４から通知料金間隔１０２４を減算した値を設定し（Ｓ８１０）、計算ワークレコード１０３ａの料金１０３３が基準料金Ｗ４より高いか否かを更に判定する（Ｓ８２０）。Ｓ８２０で計算ワークレコード１０３ａの料金１０３３が基準料金Ｗ４より高い場合には、レコード番号１０３１にレコード番号から１減算した値を設定し（Ｓ８３０）、計算ワークテーブル１０３からＳ８３０で設定したレコード番号に該当する計算ワークレコード１０３ａを選択して（Ｓ８４０）、Ｓ８２０に戻る。Ｓ８２０で計算ワークレコード１０３ａの料金１０３３が基準料金Ｗ４以内の金額の場合には、Ｓ６６０に戻る。
【００３７】
Ｓ８００で依頼情報レコード１０２ａの通知料金間隔１０２５の指定が無い場合には、レコード番号１０３１にレコード番号から１減算した値を設定し（Ｓ８５０）、計算ワークテーブル１０３からＳ８５０で設定したレコード番号に該当する計算ワークレコード１０３ａを選択して（Ｓ８６０）、Ｓ６６０に戻る。以上が駐車情報通知サーバ１００における通知情報処理の流れである。
【００３８】
次に、図１０の通知送信処理フローを用いて、本発明の実施の形態に係る駐車情報通知サーバ１００における通知の送信処理の流れについて説明する。
【００３９】
駐車情報通知サーバ１００は、所定の時間間隔毎（例えば１分毎）に、通信送信部１０８を起動する。通信送信部１０８は、通知情報テーブル１０４から先頭の通知情報レコード１０４ａを取得し（Ｓ１０１０）、この通知情報レコード１０４ａの通知日時１０４１が駐車情報通知サーバ１００の現在のシステム日付・時刻以前の日時か否かを判定する（Ｓ１０２０）。Ｓ１０２０で通知情報レコード１０４ａの通知日時１０４１が駐車情報通知サーバ１００の現在のシステム日付・時刻以前の日時である場合には、フォーム記憶部１０９に記憶した通知メールフォーム２０２を取得し（Ｓ１０３０）、宛て先２０２１に通知情報レコード１０４ａの通知先アドレス１０４２を設定し（Ｓ１０４０）、時刻２０２２に通知情報レコード１０４ａの通知日時１０４１を設定し（Ｓ１０５０）、通知回数２０２３に通知情報レコード１０４ａの通知番号１０４３の分子、通知総回数２０２４に通知情報レコード１０４ａの通知番号１０４３の分母をそれぞれ設定する（Ｓ１０６０）。
【００４０】
次に、通知先アドレス１０４２をキーとして依頼情報テーブル１０２を検索して該当する依頼情報レコード１０２ａを取得し（Ｓ１０７０）、Ｓ１０６０で取得した依頼情報レコード１０２ａの通知内容１０２６より、通知内容として利用料金が指定されているか否か判定し（Ｓ１０８０）、指定されているときのみ、選択定型文ａ２０２５−１を設定すると共に利用料金２０２５−２に通知情報レコード１０４ａの通知料金１０４４を設定する（Ｓ１０９０）。また、通知内容として利用開始日時が指定されているか否か判定し（Ｓ１１００）、指定されているときのみ、選択定型文ｂ２０２６−１を設定すると共に利用料金２０２５−２に通知情報レコード１０４ａの通知料金１０４４を設定する（Ｓ１１１０）。更に、通知内容として利用時間が指定されているか否か判定し（Ｓ１１２０）、指定されているときのみ、選択定型文ｃ２０２７−１を設定すると共に利用時間２０２５−２に通知情報レコード１０４ａの利用時間１０４５を設定する（Ｓ１１３０）。その後、これらの設定した項目と定型文２０２８からなる通知メールを、通信網３００を介して宛て先２０２２で示す通信先アドレスに送信する（Ｓ１１４０）。利用者通信端末ではＳ１１３０で送信された通知メールを受信し、ディスプレイに表示する（Ｓ１１５０）。ディスプレイの表示例を図１１に示す。
【００４１】
送信が終わったら、今回の送信が最終通知であったか否か、つまり送信通知回数２０２３が通知総回数２０２４と等しいか否かを判定して（Ｓ１１６０）、最終通知であった場合、つまり送信通知回数２０２３が通知総回数２０２４と等しい場合のみＳ１０７０で取得した依頼情報レコード１０２ａを依頼情報テーブル１０２から削除する（Ｓ１１７０）。その後、送信が終わった通知情報レコード１０４ａを通知情報テーブル１０４から削除して（Ｓ１１８０）、Ｓ１０１０に戻る。
【００４２】
Ｓ１０１０で通知情報レコード１０４ａの通知日時１０４１が駐車情報通知サーバ１００の現在のシステム日付・時刻より先の日時である場合には、処理を終了する。以上が駐車情報通知サーバ１００における通知の送信処理の流れである。
【００４３】
なお、本実施例においては、通知情報の送信先アドレスのみにより利用者識別を行ったが、事前に利用者と契約を交わして利用者ＩＤ及びパスワードを発行して、この利用者ＩＤとパスワード及び送信先アドレスを関連付けて別途に記憶しておき、依頼時には利用者にこの利用者ＩＤとパスワードを利用させるようにすることにより、利用者の便とセキュリティの向上を図ることが可能である。
【００４４】
また、本実施例においては、適用料金テーブルの料金適用時間帯として２つの例を示したが、同様の条件分岐を追加することによりより多くの料金適用時間帯に対応することも可能である。
【００４５】
さらに、本実施例においては、通知情報テーブル又は依頼情報テーブルに対する処理の効率化を目的として通知情報レコードや依頼情報レコードを削除しているが、削除の代わりにフラグを設けるなどして処理対象外とすることも可能である。
【００４６】
（付記１）
コンピュータが、
適用対象時間帯と適用料金とを含む適用料金レコードを記憶した適用料金テーブルと、利用者の通知先アドレスと通知上限額と適用開始日時とを含む依頼情報レコードを記憶した依頼情報テーブルとに基づき、該依頼情報テーブルに記憶された依頼情報レコードに含まれた通知上限額以下で最大の金額になる日時及び該日時より所定金額少ない金額になる日時を求め、該依頼情報レコードに含まれた通知先アドレスと該日時とを含む通知情報レコードを作成して通知情報テーブルに記憶する金額間隔通知処理ステップと、
前記通知情報テーブルを参照し、現在日時以前の日時の前記通知情報レコードに含まれた通知先アドレスを宛て先とする通知情報を作成して該通知情報テーブル該通知情報レコードを削除する通知作成ステップと、
を実行することを特徴とする駐車情報通知方法。
【００４７】
（付記２）
コンピュータが、
適用対象時間帯と適用料金とを含む適用料金レコードを記憶した適用料金テーブルと、利用者の通知先アドレスと通知上限額と適用開始日時とを含む依頼情報レコードを記憶した依頼情報テーブルとに基づき、該依頼情報テーブルに記憶された依頼情報レコードに含まれた通知上限額以下で最大の金額になる日時及び該日時より所定時間少ない日時になる日時を求め、該依頼情報レコードに含まれた通知先アドレスと該日時とを含む通知情報レコードを作成して通知情報テーブルに記憶する時間間隔通知処理ステップと、
前記通知情報テーブルを参照し、現在日時以前の日時の前記通知情報レコードに含まれた通知先アドレスを宛て先とする通知情報を作成して該通知情報テーブルの該通知情報レコードを処理対象外とする通知作成ステップと、
を実行することを特徴とする駐車情報通知方法。
【００４８】
（付記３）
前記適用料金テーブルと、前記依頼情報レコードを記憶した依頼情報テーブルとに基づき、該依頼情報テーブルに記憶された依頼情報レコードに含まれた通知上限額以下で最大の金額になる日時及び該日時より所定時間少ない日時になる日時を求め、該依頼情報レコードに含まれた通知先アドレスと該日時とを含む通知情報レコードを作成して前記通知情報テーブルに記憶する時間間隔通知処理ステップと、
前記依頼情報テーブルに記憶された依頼情報レコードに通知金額間隔が更に含まれていた場合には前記所定金額として該通知金額間隔を設定して前記金額間隔通知処理ステップを、前記依頼情報テーブルに記憶された依頼情報レコードに通知時間間隔が更に含まれていた場合には前記所定時間として該通知時間間隔を設定して前記時間間隔通知処理ステップを、選択的に実行する通知処理選択ステップと、
を更に備えたことを特徴とする付記１記載の駐車情報通知方法。
【００４９】
（付記４）
前記金額間隔通知処理ステップ及び前記時間間隔通知処理ステップは、前記依頼情報テーブルに記憶された依頼情報レコードに更に含まれた割引時間情報に従い、依頼情報テーブルに記憶された依頼情報レコードに含まれた通知上限額以下で最大の金額になる日時を求める
ことを特徴とする付記３記載の駐車情報通知方法。
【００５０】
（付記５）
前記金額間隔通知処理ステップ及び前記時間間隔通知処理ステップは、前記依頼情報テーブルに記憶された依頼情報レコードに更に含まれた割引料金情報に従い、依頼情報テーブルに記憶された依頼情報レコードに含まれた通知上限額以下で最大の金額になる日時を求める
ことを特徴とする付記３記載の駐車情報通知方法。
【００５１】
（付記６）
前記通知処理選択ステップは、前記依頼情報テーブルに記憶された依頼情報レコードに、通知金額間隔、通知時間間隔のいずれも含まれていなかった場合には前記所定金額として前記適用料金テーブルに記憶された前記適用料金レコードに含まれた適用料金を設定して前記金額間隔通知処理ステップを実行する
ことを特徴とする付記３記載の駐車情報通知方法。
【００５２】
（付記７）
前記料金間隔通知処理ステップ、及び前記時間間隔通知処理ステップは、通知情報レコードを所定の数だけ作成して前記通知情報テーブルに記憶する
ことを特徴とする付記３記載の駐車情報通知方法。
【００５３】
（付記８）
通信網を介して他の装置から送信先アドレスと通知上限額とを含む依頼情報を受信する依頼受信ステップと、
前記受信ステップで受信した依頼情報に含まれた送信先アドレスと通知上限額とを含む依頼情報レコードを作成して前記依頼情報テーブルに記憶する依頼処理ステップと、
前記通知作成ステップで作成した通知情報を通信網に送出する通知送信ステップと、
を更に備えたことを特徴とする付記１から付記３のいずれかに記載の駐車情報通知方法。
【００５４】
（付記９）
適用対象時間帯と適用料金とを含む適用料金レコードを記憶する適用料金テーブルと、
利用者の通知先アドレスと通知上限額と適用開始日時とを含む依頼情報レコードを記憶する依頼情報テーブルと、
日時と前記通知先アドレスとを含む通知情報レコードを記憶する通知情報テーブルと、
前記適用料金テーブルと前期依頼情報テーブルに基づき、該依頼情報テーブルに記憶された依頼情報レコードに含まれた通知上限額以下で最大の金額になる日時及び該日時より所定金額少ない金額になる日時を求め、該依頼情報レコードに含まれた通知先アドレスと該日時とを含む通知情報レコードを作成して前記通知情報テーブルに記憶する金額間隔通知処理手段と、
前記通知情報テーブルを参照し、現在日時以前の日時の前記通知情報レコードに含まれた通知先アドレスに宛てた通知文書を作成して該通知情報テーブルの該通知情報レコードを処理対象外とする通知作成手段と、
を備えたことを特徴とする駐車情報通知システム。
【００５５】
（付記１０）
適用対象時間帯と適用料金とを含む適用料金レコードを記憶する適用料金テーブルと、
利用者の通知先アドレスと通知上限額と適用開始日時とを含む依頼情報レコードを記憶する依頼情報テーブルと、
日時と前記通知先アドレスとを含む通知情報レコードを記憶する通知情報テーブルと、
前記適用料金テーブルと前期依頼情報テーブルに基づき、該依頼情報テーブルに記憶された依頼情報レコードに含まれた通知上限額以下で最大の金額になる日時及び該日時より所定時間少ない日時になる日時を求め、該依頼情報レコードに含まれた通知先アドレスと該日時とを含む通知情報レコードを作成して前記通知情報テーブルに記憶する時間間隔通知処理手段と、
前記通知情報テーブルを参照し、現在日時以前の日時の前記通知情報レコードに含まれた通知先アドレスに宛てた通知文書を作成て該通知情報テーブルの該通知情報レコードを処理対象外とする通知作成手段と、
を備えたことを特徴とする駐車情報通知システム。
【００５６】
（付記１１）
前記適用料金テーブルと前期依頼情報テーブルに基づき、該依頼情報テーブルに記憶された依頼情報レコードに含まれた通知上限額以下で最大の金額になる日時及び該日時より所定時間少ない日時になる日時を求め、該依頼情報レコードに含まれた通知先アドレスと該日時とを含む通知情報レコードを作成して前記通知情報テーブルに記憶する時間間隔通知処理手段と、
前記依頼情報テーブルに記憶された依頼情報レコードに通知金額間隔が更に含まれていた場合には前記所定金額として該通知金額間隔を設定して金額間隔通知処理手段を、前記依頼情報テーブルに記憶された依頼情報レコードに通知時間間隔が更に含まれていた場合には前記所定時間として該通知時間間隔を設定して前記時間間隔通知処理手段を、いずれも含まれていなかった場合には前記所定金額として前記適用料金テーブルに記憶された前記適用料金レコードに含まれた適用料金を設定して前記金額間隔通知処理手段を、選択的に実行する通知処理選択手段と、
を更に備えたことを特徴とする付記９記載の駐車情報通知システム。
【００５７】
（付記１２）
コンピュータに、
適用対象時間帯と適用料金とを含む適用料金レコードを記憶した適用料金テーブルと、利用者の通知先アドレスと通知上限額と適用開始日時とを含む依頼情報レコードを記憶した依頼情報テーブルとに基づき、該依頼情報テーブルに記憶された依頼情報レコードに含まれた通知上限額以下で最大の金額になる日時及び該日時より所定金額少ない金額になる日時を求め、該依頼情報レコードに含まれた通知先アドレスと該日時とを含む通知情報レコードを作成して通知情報テーブルに記憶する金額間隔通知処理ステップと、
前記適用料金テーブルと、前記依頼情報テーブルとに基づき、該依頼情報テーブルに記憶された依頼情報レコードに含まれた通知上限額以下で最大の金額になる日時及び該日時より所定時間少ない日時になる日時を求め、該依頼情報レコードに含まれた通知先アドレスと該日時とを含む通知情報レコードを作成して通知情報テーブルに記憶する時間間隔通知処理ステップと、
前記依頼情報テーブルに記憶された依頼情報レコードに通知金額間隔が更に含まれていた場合には前記所定金額として該通知金額間隔を設定して前記金額間隔通知処理ステップを、前記依頼情報テーブルに記憶された依頼情報レコードに通知時間間隔が更に含まれていた場合には前記所定時間として該通知時間間隔を設定して該時間間隔通知処理ステップを、選択的に実行する通知処理選択ステップと、
前記通知情報テーブルを参照し、現在日時以前の日時の前記通知情報レコードに含まれた通知先アドレスを宛て先とする通知情報を作成て該通知情報テーブルの該通知情報レコードを処理対象外とする通知作成ステップと、
を動作させることを特徴とする駐車情報通知プログラム。
【００５８】
【発明の効果】
このような本発明の駐車情報通知システム、方法及びプログラムによれば、利用者の駐車料金予算額になるまで駐車情報を所定の金額又は時間間隔単位で所定の回数通知することで、駐車時間や時刻で異なる料金が設定されている駐車場であっても、駐車料金として許容できる駐車料金予算額になるまでの残り時間を意識したり、自分で計算する煩わしさから利用者を解放でき、他の駐車場との差別化を図れる駐車情報通知システム、方法及びプログラムを提供することが可能となる。
【図面の簡単な説明】
【図１】本発明の駐車情報通知システムの構成概要図である。
【図２】適用料金テーブルと依頼情報テーブルの例である。
（ａ）適用料金テーブル
（ｂ）依頼情報テーブル
【図３】計算ワークテーブルと通知情報テーブルの例である。
（ｃ）計算ワークテーブル
（ｄ）通知情報テーブル
【図４】依頼入力フォームの例である。
【図５】通知メールフォームの例である。
【図６】通知依頼受信処理フローである。
【図７】通知情報処理フローである。
【図８】通知情報処理フローである。
【図９】通知情報処理フローである。
【図１０】通知送信処理フローチケットである。
【図１１】通知メール表示時の利用者通信端末のディスプレイの表示例である。
【符号の説明】
１００　　駐車情報通知サーバ
１０１　　適用料金テーブル
１０１ａ　適用料金レコード
１０２　　依頼情報テーブル
１０２ａ　依頼情報レコード
１０３　　計算ワークテーブル
１０３ａ　計算ワークレコード
１０４　　通知情報テーブル
１０４ａ　通知情報レコード
１０５　　依頼受信部
１０６　　依頼処理部
１０７　　通知処理部
１０８　　通知送信部
１０９　　フォーム記憶部
２００　　利用者通信端末
３００　　通信網
４００　　基地局
【図１】
2004086623.tif 000003
【図２】
2004086623.tif 000004
【図３】
2004086623.tif 000005
【図４】
2004086623.tif 000006
【図５】
2004086623.tif 000007
【図６】
2004086623.tif 000008
【図７】
2004086623.tif 000009
【図８】
2004086623.tif 000010
【図９】
2004086623.tif 000011
【図１０】
2004086623.tif 000012
【図１１】
2004086623.tif 000013